(57)【要約】【課題】連結して音の鳴る敷物（マット）とすることができ、また、連結しないで単体でも手押しまたは足踏み式の玩具楽器として使用できる、音の鳴る敷物部材を提供する。【解決手段】中空４を設けた弾性体のプレートで、周縁に凸部２と凹部３を交互に設け、凸部２の先端壁面または／および凹部３の奥の面に開口し、中空４と連通する貫通孔５を設けてなる本体１の、貫通孔５に空気の流通により鳴る笛６を嵌入固定し、笛６の開口前に空気の流通路を設けて敷物部材７を構成し、本体１を押圧またはその解放による空気の流通により音が鳴り、同一形状の敷物部材７の凸部２を他の敷物部材７の凹部３に混合させることにより連結して敷物を形成することを可能とする。【選択図】        図１
2005013303.tif 000002
【特許請求の範囲】
【請求項１】
中空状の弾性体のプレートで周縁に凸部と凹部を交互に設け、前記凸部の先端壁面または／および前記凹部の奥の面に開口し、前記中空と連通する貫通孔を設けてなる本体の、前記貫通孔に、空気の流出または流入により音が鳴る笛を嵌入固定し、該笛の開口前に空気流通路を設けてなり、前記プレートの押圧またはその解放による空気の流通により音が鳴り、同一形状の前記敷物部材の凸部を他の敷物部材の凹部に嵌合させることにより連結して敷物を形成することの可能な音の鳴る敷物部材。
【請求項２】
空気流通路が、笛を取り付けた凸部の長さを他の凸部の長さよりも少し短くするか、または笛を取り付けた凹部の奥の面までの深さを他の凹部の深さよりも少し深くし、２つの敷物部材を連結したときに、前記笛の開口前面に隙間を形成してなることを特徴とする請求項１に記載の音の鳴る敷物部材。
【請求項３】
空気流通路が、敷物部材の周縁壁すなわち凸部の先端壁および側壁並びに凹部の側壁および奥の壁に、連結した溝を設けてなり、２つの敷物部材を連結した場合に、２つの敷物部材の溝が相対向してトンネルを形成し、前記溝内と本体の中空と連通する貫通孔に嵌入固定した笛の空気の流通を可能とすることを特徴とする請求項１に記載の音の鳴る敷物部材。
【発明の詳細な説明】
【０００１】
【発明の属する技術分野】
この発明は、連結すれば音の鳴るマットを形成し、単体でも手押しまたは足踏みによる音の鳴る玩具楽器となる音の鳴る敷物部材に関するものである。
【０００２】
【従来の技術】
従来、プレートの周縁に凹凸を設けて隣接するプレートを互いに凹凸に嵌合させて連結して敷物とするものがある（例えば、特許文献１参照）。
また、手に持てる大きさの弾性体に空胴を設け、外周側壁との間の貫通孔に筒状の笛を固定した手押敷楽器がある（例えば、特許文献２参照）。
【０００３】
【特許文献１】
実開平６−４４４８１公報（図１、図２）
【特許文献２】
実用新案登録第３０６８５０５号公報（請求項１、図１、図２）
【０００４】
【発明が解決しようとする課題】
特許文献１のプレートは、連結してマットを形成できるが、楽器ではなく、プレートの外周壁に笛を取り付けても連結すると筒の口が塞がれて空気が出入り出来ず、音が出ない。
特許文献２の手押楽器は連結して敷物とすることができない。
この発明は、連結して音の鳴る敷物（マット）とすることができ、また単体でも手押しまたは足踏み式の玩具楽器として使用できる音の鳴る敷物部材を提供することを目的とする。
【０００５】
【課題を解決するための手段】
中空状の弾性体のプレートで周縁に凸部と凹部を交互に設け、前記凸部の先端壁面または／および前記凹部の奥の面に開口し、前記中空と連通する貫通孔を設けてなる本体の、前記貫通孔に、空気の流出または流入により音が鳴る笛を嵌入固定し、該笛の開口前に空気流通路を設けてなり、前記プレートの押圧またはその解放による空気の流通により音が鳴り、同一形状の前記敷物部材の凸部を他の敷物部材の凹部に嵌合させることにより連結して敷物を形成することの可能とする。
【０００６】
空気流通路を、笛を取り付けた凸部の長さを他の凸部の長さよりも少し短くするか、または笛を取り付けた凹部の奥の面までの深さを他の凹部の深さよりも少し深くし、２つの敷物部材を連結したときに、前記笛の開口前面に隙間を形成したものとする。
【０００７】
空気流通路が、敷物部材の周縁壁すなわち凸部の先端壁および側壁並びに凹部の側壁および奥の壁に、連結した溝を設けてなり、２つの敷物部材を連結した場合に、２つの敷物部材の溝が相対向してトンネルを形成し、前記溝内と本体の中空と連通する貫通孔に嵌入固定した笛の空気の流通を可能とす。
【０００８】
【発明の実施の形態】
この発明に係る音の鳴る敷物部材を図面に基づき説明する。
ゴム、プラスチック等の弾性体よりなるプレート状の本体１の周縁に凸部２と凹部３を交互に連続して設け、内部に中空４を設け、本体１の周縁壁に開口し、中空４に通ずる１または複数の貫通孔５を設け、それぞれの貫通孔５に、空気の流入、流出により音の鳴る笛６を嵌合し取り付け、敷物部材７を形成する。
【０００９】
凸部２は、同一形状の他の敷物部材７の凹部３と嵌合する形状とし、凹部３は、同一形状の他の敷物部材７の凸部２と嵌合する形状とする。
【００１０】
中空４の形成方法は限定しないが、次の方法で形成することができる。
すなわち、本体１を３層にし、中間層の中央部に、中空４の平面形状の大きさの孔を設けて枠状とし、その枠の所望の箇所に笛を嵌合できる切り欠きを設ける。この中間層を２枚のプレートで挟んで接着する。
または、プレートに中空４の平面形状の大きさの凹部を設けて皿状とし、皿状の縁部の所望の箇所に笛を嵌合できる中間切り欠きを設け、その皿状の上方にプレートを接着して覆う。
何れの場合も切り欠きを設けないで、接着後に笛を挿入できる貫通孔を設けてもよい。
【００１１】
図１に示す敷物部材７は、貫通孔５を凸部２の先端壁と中空４との間に設けたものを示し、図３に示す敷物部材７は、貫通孔５を凹部３の奥の壁面と中空４との間に設けたものを示す。
【００１２】
２つの敷物部材７を、凹凸部を嵌合させて連結した場合に、笛６の開口が他の敷物部材７の周縁壁で塞がれないようにする必要がある。
【００１３】
図１に示す敷物部材７では、貫通孔５を設けた凸部２ａの長さを凹部３の深さよりも少し短くする。すなわち、他の凸部２の先端面を連ねる仮想面８と凸部２ａの先端面との間に隙間９を設ける。
図２は、上記構成の敷物部材７の連結状態を示す。笛６の開口前面に隙間９を構成し、空気の流入、排出を妨げない。
【００１４】
図３に示す敷物部材７では、貫通孔５を設けた凹部３ａの深さを凸部２の長さよりも少し大きくする。すなわち、凹部３ａの奥の面を連ねる仮想面１０と他の凹部３の奥の面との間に隙間１１を設ける。
図４は、上記構成の敷物部材７の連結状態を示す。笛６の開口前面に隙間１１を構成し、空気の流入、排出を妨げない。
【００１５】
上記の実施の形態の敷物部材７においては、連結時に笛６の開口を塞がないように、凸部を短くするか、凹部の深さを大きくして、連結時に隙間９、１１による空気の流通路を確保したが、連結した敷物に隙間が生ずる問題がある。
隙間を生じないように敷物部材の空気流通路を次のように構成するのが好ましい。
【００１６】
すなわち、図５に示すように、敷物部材７の本体１の周縁壁に溝１２を囲らせる。溝１２は図においては断面コの字状であるが、断面円弧状、その他の形状であってもよい。
そして笛６を溝１２内で凸部２または凹部３の箇所で中空４に連通する貫通孔に嵌挿して取り付ける。
【００１７】
このタイプの敷物部材７を連結すると、連結面に２つの溝１２が相対向してトンネルを形成し、そのトンネルが空気の流通路となる。
【００１８】
敷物部材７の笛６は、１または複数の凸部または１または複数の凹部に設けてもよく、または、凸部と凹部に設けてもよい。
【００１９】
１つの敷物部材７に複数の笛を取り付けた場合には、同一の音の笛でも、それぞれ異なった音の笛でもよい。
【００２０】
１つの敷物部材７に、中空の上の面を押して空気が流出するときに鳴る笛か、または、中空の上の面の押圧が解放されて空気を吸入するときに鳴る笛を取り付けてもよく、または、空気が流出するときに鳴る笛と空気を吸入するときに鳴る笛の双方を取り付けてもよい。
【００２１】
それぞれの敷物部材の音の違いを区別するために、記号または模様を表示するか、色彩を変えるのが好ましい。
【００２２】
【発明の効果】
この発明に係る敷物部材は、各人が異なる音の出る敷物部材を持って手で押すか、床や地面上に置いて足で踏みつけることによって、メロディーを奏鳴させることができる。
音の異なる敷物部材を数枚重ねて手で押すか、または足で踏みつけることにより和音を奏鳴させることができる。
敷物部材を数枚連結することにより敷物（マット）を形成し、その敷物上を歩いたり走ったりすることにより音を鳴らすことができる。また敷物の上に数人が並び、それぞれが複数枚分担して足で踏んで音を鳴らし、メロディーを奏鳴させることができる。
【図面の簡単な説明】
【図１】敷物部材の平面図である。
【図２】２枚の敷物部材の連結要部平面図である。
【図３】他の実施の形態の敷物部材の平面図である。
【図４】２枚の他の実施の形態の敷物部材の連結要部平面図である。
【図５】空気流通路を構成するための、敷物部材の周縁壁の溝の説明図である。
【符号の説明】
１  本体
２  凸部
３  凹部
４  中空
５  貫通孔
６  笛
７  敷物部材
８  仮想面
９  隙間
１０  仮想面
１１  隙間
１２  溝
【図１】
2005013303.tif 000003
【図２】
2005013303.tif 000004
【図３】
2005013303.tif 000005
【図４】
2005013303.tif 000006
【図５】
2005013303.tif 000007